(57)【要約】【課題】槽本体側の所定の取付部位に固定手段を介して取付けられて槽本体内に互いに対向して延びる一対の電極を有する電解槽を備え、電解時に電極から金属イオンを溶出させて金属イオン含有水を生成する生成装置において、電極の取付部位での取付け状態を長時間安定に維持し、電極の使用耐用時間を向上させる。【解決手段】一実施形態では、各電極１０ｂを、槽本体１０ａの同一側の各取付部位２０ａに傾斜状態に取付けて取付基端部から先端側へ互いに漸次近接する傾斜状態で槽本体１０ａ内に延出させることにより、各電極１０ｂにおける固定手段の介在部位の消耗を他の部位より遅延させ、各電極１０ｂの取付部位２０ａｄの取付け状態を長時間安定に維持する。【選択図】    図２
2005021811.tif 000002
【特許請求の範囲】
【請求項１】
槽本体側の所定の取付部位に固定手段を介して取付けられて同槽本体内に互いに対向して延びる一対の電極を有する電解槽を備え、前記槽本体内に供給される被電解水を前記各電極間に所定の電流を印加することによって電解して、前記各電極の少なくとも一方から溶出する金属イオンを含有する金属イオン含有水を生成する生成装置であり、前記各電極は、前記槽本体の同一側の各取付部位に傾斜状態に取付けられて取付基端部から先端側へ互いに漸次近接する傾斜状態で前記槽本体内に延びていることを特徴とする金属イオン含有水生成装置。
【請求項２】
槽本体側の所定の取付部位に固定手段を介して取付けられて同槽本体内に互いに対向して延びる一対の電極を有する電解槽を備え、前記槽本体内に供給される被電解水を前記各電極間に所定の電流を印加することによって電解して、前記各電極の少なくとも一方から溶出する金属イオンを含有する金属イオン含有水を生成する生成装置であり、前記各電極は、前記槽本体の互いに対向する側の各取付部位に取付けられて互いに平行状態で同槽本体内に延びていて、前記各電極における固定手段が介在する部位以外の部位が互いに対向して位置していることを特徴とする金属イオン含有水生成装置。
【請求項３】
槽本体側の所定の取付部位に固定手段を介して取付けられて同槽本体内に互いに対向して延びる一対の電極を有する電解槽を備え、前記槽本体内に供給される被電解水を前記各電極間に所定の電流を印加して電解して、前記各電極の少なくとも一方から溶出する金属イオンを含有する金属イオン含有水を生成する生成装置であり、前記各電極は、前記槽本体の同一側の各取付部位に取付けられて互いに平行状態で同槽本体内に延びていて、前記各電極における前記固定手段が介在する部位が前記取付部位に埋没していて、同介在部位の前記槽本体内への露出が規制されていることを特徴とする金属イオン含有水生成装置。
【請求項４】
槽本体側の所定の取付部位に固定手段を介して取付けられて同槽本体内に互いに対向して延びる一対の電極を有する電解槽を備え、前記槽本体内に供給される被電解水を前記各電極間に所定の電流を印加して電解して、前記各電極の少なくとも一方から溶出する金属イオンを含有する金属イオン含有水を生成する生成装置であり、前記各電極を前記取付部位に取付ける固定手段は、各電極の軸線とは各電極の互いに対向する側とは反対側に偏倚していて、前記各電極は前記固定手段に対して同電極の互いに対向する側に偏倚していることを特徴とする金属イオン含有水生成装置。
【請求項５】
請求項１〜４のいずれか一項に記載の金属イオン含有水生成装置であり、前記電極側の固定手段は同電極に穿設されたネジ孔または植設されたボルトであり、前記取付部位側の固定手段は前記電極側の固定手段に対応して同取付部位に植設されたボルトまたは穿設されたネジ孔であることを特徴とする金属イオン含有水生成装置。
【発明の詳細な説明】
【０００１】
【発明の属する技術分野】
本発明は、金属イオン含有水生成装置に関する。
【０００２】
【従来の技術】
金属イオン含有水生成装置の一形式として、槽本体側の所定の取付部位に固定手段を介して取付けられて同槽本体内に互いに対向して延びる一対の電極を有する電解槽を備え、前記槽本体内に供給される被電解水を前記各電極間に所定の電流を印加することによって電解して、前記各電極の少なくとも一方から溶出する金属イオンを含有する金属イオン含有水を生成させる形式の生成装置がある。当該形式の代表的な金属イオン生成装置としては、電極として銀製または銅製の金属電極を採用して、水を電解することによって、当該電極から溶出する銀イオン、銅イオン等の金属イオンを含有する殺菌用水や殺藻用水を生成する生成装置を挙げることができる（特許文献１参照）。
【０００３】
このように、当該形式の金属イオン含有水生成装置においては、電極は、電解運転時には金属イオンの溶出を継続するものであることから、電解運転によって漸次消耗して消費されることになる。このため、電解運転が所定時間経過した後には、使用している電極を新たな電極に交換することが必要である。当該形式の金属イオン含有水生成装置では、使用している電極が高価であること、および、電極の交換作業が煩雑であること等を考慮すれば、電極を可能なかぎり多く消費させることが望しい。
【０００４】
【特許文献１】
特許第２９０５１４８号特許公報
【０００５】
【発明が解決しようとする課題】
本発明者等は、当該形式の金属イオン含有水生成装置においては、固定手段を介して取付部位に取付けられた状態の電極の使用耐用時間は、電極の取付部位における取付形態によって大きく影響されることを知得した。
【０００６】
当該形式の従来の金属イオン含有水生成装置においては、上記した特許文献１に提案されている生成装置でも示されているように、各電極は、槽本体の同一側の各取付部位に固定手段を介して取付けられて、互いに平行状態で槽本体内に延びる形態が採られている。このため、電解運転では、各電極は互いに対向する側において、その長さ方向の全長にわたって略均等に消耗して消費されることになる。従って、各電極のかかる取付状態は、電極を可能なかぎり消費させる意図からすれば、理に適った配列状態であるものとも認められる。
【０００７】
しかしながら、各電極は、各取付部位に対して固定手段を介して取付けられていることから、電極の取付基端部は、電極側の固定手段であるネジ孔またはボルトが同軸的に存在する構造となっていて、電極の当該取付基端部における消耗可能な部位は、長さ方向の他の部位に比較して肉薄となっている。このため、電解運転時の電極が長さ方向に均等に消耗する状態では、電極の取付基端部が早期に肉薄状態となって、電極の取付部位に対する取付け状態が早期に不安定となり、使用に耐えられなくなる。この結果、電極の使用耐用時間はむしろ低下することになる。
【０００８】
従って、本発明の目的は、槽本体内に対向して取付けられる各電極の取付基端部における電解による消耗を、長さ方向の他の部位の消耗より遅延させることにより、電極の取付部位に対する取付け状態を長時間安定に維持して、電極の使用耐用時間を向上させることにある。
【０００９】
【課題を解決するための手段】
本発明は、金属イオン含有水を生成する金属イオン含有水生成装置に関するものである。本発明が適用対象とする金属イオン含有水生成装置は、槽本体側の所定の取付部位に固定手段を介して取付されて同槽本体内に互い対向して延びる一対の電極を有する電解槽を備え、前記槽本体内に供給される被電解水を前記各電極間に所定の電流を印加することによって電解して、前記各電極の少なくとも一方から溶出する金属イオンを含有する金属イオン含有水を生成する形式の金属イオン含有水生成装置である。
【００１０】
しかして、本発明に係る第１の金属イオン含有水生成装置においては、前記各電極が、前記槽本体の同一側の各取付部位に傾斜状態に取付けられて、取付基端部から先端側へ互いに漸次近接する傾斜状態で前記槽本体内に延びていることを特徴とするものである。
【００１１】
また、本発明に係る第２の金属イオン含有水生成装置においては、前記各電極が、前記槽本体の互いに対向する側の各取付部位に取付けられて互いに平行状態で同槽本体内に延びていて、前記各電極における前記固定手段が介在する部位以外の部位が互いに対向して位置していることを特徴とするものである。
【００１２】
また、本発明に係る第３の金属イオン含有水生成装置においては、前記各電極が、前記槽本体の同一側の各取付部位に取付けられて互いに平行状態で同槽本体内に延びていて、前記各電極における固定手段が介在する部位が前記取付部位に埋没していて、同介在部位の前記槽本体内への露出が規制されていることを特徴とするものである。
【００１３】
本発明に係る第４の金属イオン含有水生成装置においては、前記各電極を前記取付部位に取付ける固定手段を、各電極の軸線とは各電極の互い対向する側とは反対側に偏倚して、前記各電極を前記固定手段に対して同電極の互いに対向する側に偏倚させていることを特徴とするものである。
【００１４】
本発明に係るこれらの各金属イオン含有水生成装置においては、前記電極側の固定手段として、同電極に穿設されたネジ孔または植設されたボルトを採用し、かつ、前記取付部位側の固定手段として、前記電極側の固定手段に対応して同取付部位に植設されたボルトまたは穿設されたネジ孔を採用することができる。
【００１５】
【発明の作用・効果】
本発明が適用対象とする形式の金属イオン含有水生成装置においては、電解運転時における両電極間の電界は電位に比例し、かつ、電位間の距離に反比例するものである。
【００１６】
本発明に係る第１の金属イオン含有水生成装置においては、各電極が、槽本体の同一側の各取付部位に傾斜状態に取付けられて、取付基端部から先端側へ互いに漸次近接する傾斜状態で槽本体内に延びている。このため、当該金属イオン含有水生成装置における電解は、各電極の先端側で最も活発で、取付基端部側に移行するほど低下する。
【００１７】
従って、電解運転時の各電極の消耗度合いは、各電極の先端側から取付基端部側へ漸次低下することになり、各電極の取付状態は、従来と比較して、より長期にわたって安定した状態に維持される。この結果、当該金属イオン含有水生成装置では、各電極を効果的に利用できて電解コストを低下させることができるとともに、各電極の交換頻度を低減できて煩雑な交換作業の回数を低減することができる。
【００１８】
本発明に係る第２の金属イオン含有水生成装置においては、各電極が、槽本体の互いに対向する側の各取付部位に取付けられて互いに平行状態で同槽本体内に延びていて、各電極における固定手段が介在する部位以外の部位が互いに対向して位置している。このため、当該金属イオン含有水生成装置における電解は、各電極の互いに対向する部位で活発であるが、各電極の互いに対向していない部位である固定手段の介在部位では低い。
【００１９】
従って、電解運転時の各電極の消耗度合いは、各電極の互いに対向する部位で高く、かつ、各電極の互いに対向していない固定手段の介在部位では低くなり、各電極の取付状態は、従来と比較して、より長期にわたって安定した状態を維持する。この結果、当該金属イオン含有水生成装置では、各電極を効果的に利用できて電解コストを低下させることができるとともに、各電極の交換頻度を低減できて煩雑な交換作業の回数を低減することができる。
【００２０】
本発明に係る第３の金属イオン含有水生成装置においては、各電極が、槽本体の同一側の各取付部位に取付けられて互いに平行状態で同槽本体内に延びていて、各電極における固定手段が介在する部位が取付部位に埋没していて、同介在部位の槽本体内への露出が規制されている。このため、当該金属イオン含有水生成装置における電解は、各電極の互いに対向する部位で活発であるが、取付部位に埋没している固定手段の介在部位ではほとんど行われない。
【００２１】
従って、電解運転時の各電極の消耗度合いは、各電極の各電極の互いに対向する部位で高く、かつ、各電極の取付部位に埋没している固定手段の介在部位では極めて低く、各電極の取付状態は、従来と比較して、一層長期にわたって安定した状態を維持する。この結果、当該金属イオン含有水生成装置では、各電極を効果的に利用できて電解コストを低下させることができるとともに、各電極の交換頻度を低減できて煩雑な交換作業の回数を低減することができる。
【００２２】
本発明に係る第４の金属イオン含有水生成装置においては、各電極が固定手段に対して同電極の互いに対向する側に偏倚して取付けられている。このため、各電極の固定手段の介在部位における、各電極が互いに対向する側の部位は肉厚であって、各電極が電解によって互いに対向する側が優先して消耗しても、消耗が各電極の固定手段の介在部位に達する時間が大きく遅延される。この結果、当該生成装置においては、各電極の取付状態は、一層長期にわたって安定した状態を持続する。このため、当該金属イオン含有水生成装置では、各電極を効果的に利用できて電解コストを低下させることができるとともに、各電極の交換頻度を低減できて煩雑な交換作業の回数を低減することができる。
【００２３】
【発明の実施の形態】
本発明は、金属イオン含有水生成装置に関する。図１には、本発明が適用対象とする形式の金属イオン含有水生成装置を示し、図２〜図６には本発明に係る金属イオン含有水生成装置の各実施形態を示している。
【００２４】
図１は、当該形式の金属イオン含有水生成装置の基本的構成を示すもので、同図（ａ）はその縦断側面であり、同図（ｂ）はその底面図である。当該金属イオン含有水生成装置（以下当該生成装置１０という）は、槽本体１０ａと一対の電極１０ｂを主要構成部品としている。槽本体１０ａは、合成樹脂製のものであり、各電極１０ｂは、銀製や銅製等、電解時に目的とする金属イオンを溶出可能な金属製のものである。
【００２５】
槽本体１０ａは、円筒状の筒体１１と、筒体１１の下端開口部を覆蓋する底蓋１２と、筒体１１の上端開口部を覆蓋する上蓋１３からなるもので、筒体１１の下端開口部に底蓋１２を液密的に螺着し、かつ、筒体１１の上端開口部に上蓋１３を液密的に螺着することによって構成されている。かかる構成の槽本体１０ａにおいては、底蓋１２側に各電極１０ｂを取付けるための一対の取付部位１０ｃが形成されており、また、上蓋１３側に被電解水の供給孔１４ａと、電解生成水である金属イオン含有水の流出孔１４ｂが形成されている。
【００２６】
各電極１０ｂを取付けるための取付部位１０ｃは、底蓋１２の中央部の近傍に一体的に形成された円柱状を呈するもので、取付部位１０ｃを構成する円柱体１５は、槽本体１０ａの内外に臨んでいる。円柱体１５においては、その槽本体１０ａ内側の先端部に嵌合凹所１５ａが形成され、かつ、その中央部に貫通孔１５ｂが形成されている。貫通孔１５ｂには、ボルト１５ｃが貫通した状態で固定されている。当該ボルト１５ｃの固定手段としては、底蓋１２の貫通孔１５ｂにボルト１５ｃをインサート成形する手段や、貫通孔１５ｂに雌ネジを切り、これにシール部材を塗布した後にボルト１５ｃをねじ込む等の手段を採ることができる。当該ボルト１５ｃは、槽本体１０ａの内外に臨んでいて、取付部位１０ｃ側の固定手段として機能するとともに、電極１０ｂへ電流を印加するための導体としても機能する。
【００２７】
各電極１０ｂは円柱状のもので、電極１０ｂを構成する円柱体１６の下端部には、円柱体１６と同心的に所定長さのネジ孔１６ａが穿設されている。当該ネジ孔１６ａは、電極１０ｂ側の固定手段として機能する。各電極１０ｂは、その下端部を取付部位１０ｃにおける円柱体１５の先端側の嵌合凹所１５ａに嵌合させた状態で、ボルト１５ｃをネジ孔１６ａに螺着することによって取付部位１０ｃに取付けられている。この状態では、各電極１０ｂは、互いに平行して槽本体１０ａに所定長さ延びていて、取付部位１０ｃに対して安定した状態で固定されている。
【００２８】
当該生成装置は、水を被電解水とするもので、電解時に電極１０ｂから被電解水である水中に金属イオンを溶出させて、金属イオン含有水を生成するものである。当該生成装置においては、被電解水である水は、槽本体１０ａにおける上蓋１３の供給孔１４ａから槽本体１０ａ内に供給され、電解生成水である金属イオン含有水は、槽本体１０ａにおける上蓋１３の流出孔１４ｂから槽本体１０ａの外に流出する。
【００２９】
当該生成装置においては、この間の電解は、各電極１０ｂが互いに対向する側において活発に行われ、各電極１０ｂは、その互いに対向する側の部位が長さ方向に略均等に消耗して消費される。各電極１０ｂの消耗度合いは、電極１０ｂのネジ孔１６ａが形成されている外周の部位でも同一である。
【００３０】
このため、当該生成装置においては、各電極１０ｂの下端部であるボルト１５ｃおよびネジ孔１６ａ（固定手段）が介在する部位（固定手段の介在部位）が早期に肉薄状態となる。この結果、各電極１０ｂの各取付部位１０ｃに対する取付状態が早期に不安定となり、使用中の各電極１０ｂを、十分に消費されていないにかかわらず、新しいものに交換しなければならない状態となる。
【００３１】
本発明は、かかる問題に対処し得る金属イオン含有水生成装置を提供することを意図している。図２〜図６には、本発明に係る金属イオン含有水生成装置の各実施形態を示している。各実施形態に係る金属イオン含有水生成装置は、各電極の取付構造の点を除き、上記した従来の金属イオン含有水生成装置とは基本構造を実質的に同じくするものである。従って、各実施形態に係る金属イオン生成装置の説明では、従来の金属イオン生成装置と同一または類似する構成部材については同一の符号を付してその詳細な説明を省略し、本発明の主要部である各電極の取付構造の点について詳細に説明する。
【００３２】
図２は、本発明に係る第１の金属イオン含有水生成装置を示している。当該生成装置は、槽本体１０ａを構成する下蓋１２に、各電極１０ｂを取付けるための取付部位２０ａを備えている。当該取付部位２０ａを構成する各円柱体２１は、槽本体１０ａの中心軸線に向かって互いに傾斜する状態に形成されている。また、円柱体２１の貫通孔２１ｂは、円柱体２１の傾斜と同一の傾斜状態になっており、かつ、円柱体２１の嵌合凹所２１ａの底面は、貫通孔２１ｂに直交する傾斜状態になっている。従って、貫通孔２１ｂに貫通して固定されているボルト２１ｃは、貫通孔２１ｂと同一方向に傾斜している。
【００３３】
各電極１０ｂは、当該取付部位２０ａに、取付部位側の固定手段であるボルト２１ｃを、電極側の固定手段であるネジ孔１６ａに螺着することによって取付けられる。各電極１０ｂは、当該取付部位２０ａに取付けられた状態では、各ボルト２１ｃと同軸的に傾斜し、槽本体１０ａ内では、取付基端部から先端側へ互いに漸次近接する傾斜状態で延びている。このため、当該生成装置における電解は、各電極１０ｂの先端側で最も活発で、取付基端部側に移行するほど低下する。
【００３４】
従って、電解運転時の各電極１０ｂの消耗度合いは、各電極１０ｂの先端側から取付基端部側へ漸次低減することになり、各電極１０ｂの取付状態は、従来と比較して、より長期にわたって安定した状態を持続する。この結果、当該生成装置では、各電極１０ｂを効果的に利用できて電解コストを低下させることができ、かつ、各電極１０ｂの交換頻度を低減できて煩雑な交換作業の回数を低減することができる。
【００３５】
図３は、本発明に係る第２の金属イオン含有水生成装置を示すもので、同図（ａ）はその縦断側面図、同図（ｂ）はその平面図、同図（ｃ）はその底面図である。当該生成装置は、槽本体１０ａを構成する下蓋１２に第１取付部位２０ｂを備え、かつ、上蓋１３に第２取付部位２０ｃを備えている。第１取付部位２０ｂは、下蓋１２の外周縁側に偏倚して位置し、かつ、第２取付部位２０ｃは、上蓋１３の中央部に位置していて、互いに大きく偏倚した状態にある。なお、各取付部位２０ｂ，２０ｃを構成する各円柱体２２，２３は、円柱体１５と同一構造に形成されていて、取付部位側の固定手段であるボルト２２ｃ，２３ｃは円柱体２２，２３と同様に垂直状態にある。
【００３６】
各電極１０ｂは、当該取付部位２０ｂ，２０ｃに、取付部位側の固定手段であるボルト２２ｃ，２３ｃを、電極側の固定手段であるネジ孔１６ａに螺着することによって取付けられる。各電極１０ｂは、当該取付部位２０ｂ，２０ｃに取付けられた状態では、互いに平行状態で同槽本体１０ａ内に延びていて、ボルト２２ｃ，２３ｃとネジ孔１６ａが介在している部位（固定手段の介在部位）以外の部位が互いに対向して位置している。このため、当該生成装置における電解は、各電極１０ｂの互いに対向する部位で活発であるが、各電極１０ｂの互いに対向していない部位である固定手段の介在部位では低い。
【００３７】
従って、電解運転時の各電極１０ｂの消耗度合いは、各電極１０ｂの互いに対向する部位で高く、かつ、各電極１０ｂの互いに対向していない固定手段の介在部位では低くなり、各電極１０ｂの取付状態は、従来と比較して、より長期にわたって安定した状態を持続する。この結果、当該生成装置では、各電極１０ｂを効果的に利用できて電解コストを低下させることができ、かつ、各電極１０ｂの交換頻度を低減できて煩雑な交換作業の回数を低減することができる。
【００３８】
図４は、本発明の第３の金属イオン含有水生成装置の、第１実施形態に係る金属イオン含有水生成装置を示している。当該生成装置は、槽本体１０ａを構成する底蓋１２に各取付部位２０ｄを備えている。各取付部位２０ｄは、底蓋１２の底部の中央部に一体的に設けた所定厚みの円盤２４を共通の構成部材としている。円盤２４は、一対の嵌合凹所２４ａと、各嵌合凹所２４ａの中心部を貫通する貫通孔２４ｂを備え、各嵌合凹所２４ａと貫通孔２４ｂが各取付部位２０ｄを形成している。
【００３９】
各取付部位２０ｄにおいては、各貫通孔２４ｂに、取付部位側の固定手段であるボルト２４ｃが貫通した状態で固定されている。各ボルト２４ｃの先端部は、各嵌合凹所２４ａ内では、その上端開口部より所定長さ下方の位置に留まっている。一方、各電極１０ｂにおいては、その円柱体１６の下端部が小径の円柱形状に形成されている（下端小径部１６ｂ）。円柱体１６の下端小径部１６ｂは、取付部位２０ｄの嵌合凹所２４ａに丁度嵌合する寸法に形成されている。
【００４０】
各電極１０ｂは、その下端小径部１６ｂを各取付部位２０ｄの先端側の嵌合凹所２４ａに嵌合した状態で、取付部位側の固定手段であるボルト２４ｃを、電極側の固定手段であるネジ孔１６ａに螺着することによって取付けられる。各電極１０ｂは、当該取付部位２０ｄに取付けられた状態では、互いに平行状態で槽本体１０ａ内に同一長さ延びているが、固定手段の介在部位は取付部位２０ｄに埋没していて、槽本体１０ａ内への露出を規制された状態にある。このため、当該生成装置における電解は、各電極１０ｂの互いに対向する部位で活発であるが、取付部位２０ｄに埋没している固定手段の介在部位ではほとんど行われない。
【００４１】
従って、電解運転時の各電極１０ｂの消耗度合いは、各電極１０ｂの互いに対向する部位で高く、かつ、各電極１０ｂの取付部位２０ｄに埋没している固定手段の介在部位では極めて少なく、各電極１０ｂの取付状態は、従来と比較して、一層長期にわたって安定した状態を維持する。この結果、当該生成装置では、各電極１０ｂを効果的に利用できて電解コストを低下させることができ、かつ、各電極１０ｂの交換頻度を低減できて煩雑な交換作業の回数を低減することができる。
【００４２】
また、当該生成装置においては、電極１０ｂの固定手段の介在部位を取付部位２０ｄに埋没させていることから、当該介在部位は電解にほとんど関わることがなくて、電解運転の継続中に電極１０ｂが消耗しても、ボルト２４ｃが槽本体１０ａ内に露出することがない。このため、ボルト２４ｃが電解に関与して金属溶出するようなことは皆無であって、意図しない金属イオンの電解生成水中への溶出を規制することができるという利点がある。
【００４３】
図５は、本発明の第３の金属イオン含有水生成装置の、第２実施形態に係る金属イオン含有水生成装置を示している。当該生成装置は、槽本体１０ａを構成する底蓋１２に各取付部位２０ｅを備えている。各取付部位２０ｅは、底蓋１２の底部に互いに独立して同一形状に形成された各円柱体２５を構成部材とするもので、底蓋１２の底部から槽本体１０ａ内に垂直状態で所定長さ突出している。また、円柱体２５の先端側の嵌合凹所２５ａは深底状態に形成されていて、貫通孔２５ｂを貫通して延びるボルト２５ｃは、嵌合凹所２５ａの上端開口部より所定長さ下方の位置に留まっている。
【００４４】
各電極１０ｂは、その下端部を各取付部位２０ｅの先端側の嵌合凹所２５ａに嵌合した状態で、取付部位側の固定手段であるボルト２５ｃを、電極側の固定手段であるネジ孔１６ａに螺着することによって取付けられる。各電極１０ｂは、当該取付部位２０ｅに取付けられた状態では、互いに平行状態で槽本体１０ａ内に同一長さ延びているが、固定手段の介在部位は取付部位２０ｅに埋没していて、槽本体１０ａ内への露出を規制された状態にある。このため、当該生成装置における電解は、各電極１０ｂの互いに対向する部位で活発であるが、取付部位２０ｅに埋没している固定手段の介在部位ではほとんど行われない。
【００４５】
従って、電解運転時の各電極１０ｂの消耗度合いは、各電極１０ｂの互いに対向する部位で高く、かつ、各電極１０ｂの取付部位２０ｅに埋没している固定手段の介在部位では極めて少なく、各電極１０ｂの取付状態は、従来と比較して、一層長期にわたって安定した状態を維持する。この結果、当該生成装置では、各電極１０ｂを効果的に利用できて電解コストを低下させることができ、かつ、各電極１０ｂの交換頻度を低減できて煩雑な交換作業の回数を低減することができる。
【００４６】
このように、当該生成装置においては、電極１０ｂの固定手段の介在部位を取付部位２０ｅに埋没させていることから、上記した第１実施形態に係る金属イオン含有水生成装置と同様の作用効果を奏するものであるが、各取付部位２０ｅの嵌合凹所２５ａを槽本体１０ａ内に所定高さ突出させて、各電極１０ｂの槽本体１０ａ内に露出する部位の最下端を、底蓋１２の底面より所定高さ高く位置させている。このため、電解時に生成される析出物は、各取付部位２０ｅの嵌合凹所２５ａを形成する円筒状壁部の外周側に堆積することになる。このため、当該生成装置においては、電解時に生成される析出物の堆積によって、電極１０ｂの槽本体１０ａ内に露出する部位が被覆されることがなくて、堆積する析出物の電解に及ぼす影響を解消することができるという利点がある。
【００４７】
図６は、本発明の第３の金属イオン含有水生成装置の、第３実施形態に係る金属イオン含有水生成装置を示している。当該生成装置が第２実施形態に係る金属イオン含有水生成装置と相違する部位は、各取付部位２０ｆにある。各取付部位２０ｆが各取付部位２０ｅと相違する点は、取付部位２０ｆを構成する円柱体２６の貫通孔２６ｂが円柱体２６の中心軸線より外側に偏倚している点、および、各電極１０ｂでは、各電極１０ｂの円柱体１６におけるネジ孔１６ａが、これに対応して、円柱体１６の中心軸線から外側に偏倚している点にある。
【００４８】
各電極１０ｂは、その下端部を各取付部位２０ｆの先端側の嵌合凹所２６ａに嵌合した状態で、取付部位側の固定手段であるボルト２６ｃを、電極側の固定手段であるネジ孔１６ａに螺着することによって取付けられる。各電極１０ｂは、当該取付部位２０ｆに取付けられた状態では、互いに平行状態で槽本体１０ａ内に同一長さ延びているが、固定手段の介在部位は取付部位２０ｆに埋没していて、槽本体１０ａ内への露出を規制された状態にある。従って、当該生成装置においては、この点においては、上記した第２実施形態に係る金属イオン含有水生成装置と同様の作用効果を奏する。
【００４９】
また、当該生成装置においては、固定手段であるボルト２６ｃおよびネジ孔１６ａは、各電極１０ｂの中心軸線に対して、各電極１０ｂが互いに対向する側とは反対側に偏倚していて、各電極１０ｂの固定手段の介在部位における各電極１０ｂが互いに対向する部位が肉厚になっている。このため、各電極１０ｂが電解によって、互いに対向する側が優先して消耗しても、消耗が各電極１０ｂの固定手段の介在部位に達する時間が大きく遅延される。この結果、当該生成装置においては、各電極１０ｂの取付状態は、一層長期にわたって安定した状態を持続することになるという利点がある。
【図面の簡単な説明】
【図１】本発明が適用対象とする金属イオン含有水生成装置の一例を示す縦断側面図（ａ）、および、その底面図（ｂ）である。
【図２】本発明に係る第１の金属イオン含有水生成装置を示す縦断側面図である。
【図３】本発明に係る第２の金属イオン含有水生成装置を示す縦断側面図（ａ）、その底面図（ｂ）、および、その平面図（ｃ）である。
【図４】本発明に係る第３の金属イオン含有水生成装置の、第１実施形態である金属イオン含有水生成装置を示す縦断側面図である。
【図５】本発明に係る第３の金属イオン含有水生成装置の、第２実施形態である金属イオン含有水生成装置を示す縦断側面図である。
【図６】本発明に係る第３の金属イオン含有水生成装置の、第３実施形態である金属イオン含有水生成装置を示す縦断側面図である。
【符号の説明】
１０…金属イオン含有水生成装置、１０ａ…槽本体、１０ｂ…電極、１０ｃ…取付部位、１１…筒体、１２…底蓋、１３…上蓋、１４ａ…供給孔、１４ｂ…流出孔、１５…円柱体、１５ａ…嵌合凹所、１５ｂ…貫通孔、１５ｃ…ボルト、１６…円柱体、１６ａ…ネジ孔、１６ｂ…下端小径部、２０ａ，２０ｂ，２０ｃ，２０ｄ，２０ｅ，２０ｆ…取付部位、２１，２２，２３，２５，２６…円柱体、２４…円盤、２１ａ，２２ａ，２３ａ，２４ａ，２５ａ，２６ａ…嵌合凹所、２１ｂ，２２ｂ，２３ｂ，２４ｂ，２５ｂ，２６ｂ…貫通孔、２１ｃ，２２ｃ，２３ｃ，２４ｃ，２５ｃ，２６ｃ…ボルト。
【図１】
2005021811.tif 000003
【図２】
2005021811.tif 000004
【図３】
2005021811.tif 000005
【図４】
2005021811.tif 000006
【図５】
2005021811.tif 000007
【図６】
2005021811.tif 000008